(57)【要約】【課題】湾曲している面に好適に固着することができ、かつ、係る長期的に安定して固着状態が維持されるシート状のディスプレイデバイスを提供する。【解決手段】可撓性を有するシート状のディスプレイデバイスが、可撓性を有する保持基材と、保持基材の上に形成された表示層と、を備え、保持部材の露出面の全体に渡って、保持部材の厚み方向を深さ方向とする複数のスリットが設けられてなる、ようにした。【選択図】図５
2019053199.tif 000002
【特許請求の範囲】
【請求項１】
可撓性を有する保持基材と、
前記保持基材の上に形成された表示層と、
を備え、可撓性を有するシート状のディスプレイデバイスであって、
前記保持部材の露出面の全体に渡って、前記保持部材の厚み方向を深さ方向とする複数のスリットが設けられてなる、
ことを特徴とするシート状ディスプレイデバイス。
【請求項２】
可撓性を有する保持基材と、
前記保持基材の上に形成された表示層と、
を備え、可撓性を有するシート状のディスプレイデバイスを、所定の支持体に固定する方法であって、
あらかじめ前記保持部材の露出面の全体に渡って、前記保持部材の厚み方向を深さ方向とする複数のスリットを設けておき、
所定の支持体に固定する際には、前記保持基材の露出面を前記支持体の表面に倣わせつつ、かつ、前記複数のスリットの開口状態を維持しつつ、前記保持基材の露出面と前記支持体の表面とを接着する、
ことを特徴とするシート状ディスプレイデバイスの固定方法。
【発明の詳細な説明】
【技術分野】
【０００１】
本発明は、可撓性を有するシート状のディスプレイに関し、特にその形態に関する。
【背景技術】
【０００２】
従来、一般に薄型ディスプレイと総称される有機ＥＬディスプレイや液晶ディスプレイなどにおいては、ガラス基板を初めとする脆性材料基板が表示層を保持するための保持基材（下地基板）として用いられていた。
【０００３】
これに対し、近年、脆性材料基板よりも薄く、かつ可撓性を有するシート状のプラスチック基板（樹脂基板）が基材として用いられることにより、全体として従来の薄型ディスプレイなどよりもさらに薄型化され、かつ、可撓性を具備するものとなっているシート状のディスプレイ（シートディスプレイ、フレキシブルディスプレイ）が、広く知られ、実用化されるようになっている（例えば、特許文献１参照）。
【先行技術文献】
【特許文献】
【０００４】
【特許文献１】特開２００３−２８０５４８号公報
【発明の概要】
【発明が解決しようとする課題】
【０００５】
シートディスプレイは通常、外力により折り曲げられて破損することのないよう、自身に比して十分に硬質な支持体に接着、ねじ止め、挟持などの手法にて固定されたうえで使用される。そのサイズは使用用途により様々であり、例えば、スマートフォンやタブレット状の携帯情報端末のように数インチ程度のものから、デジタルサイネージのように、数十インチ超のものまで幅広いが、そのサイズに応じた支持体が用意される。あるいはさらに、その可撓性を活かし、曲面となっている支持体の被固定面に対し湾曲させつつ固定されることもある。
【０００６】
例えば、公共施設や商業施設においてデジタルサイネージとして用いるべく、これらの施設に備わる直径が１ｍ前後から数ｍ程度の円柱状の柱に対し、数十インチ超のサイズの大型のシートディスプレイを配置することがある。係る場合、曲面をなしている柱の表面そのものが支持体とされるか、あるいは、係る表面に沿って設けられた支持部材が支持体となるが、いずれの場合も、曲面をなしている支持体の表面に対し直接に、当該表面に沿って湾曲させたシートディスプレイが固定されることになる。
【０００７】
しかしながら、係る態様にてシートディスプレイを配置しようとする場合、シートディスプレイを折り曲げ過ぎて不良が発生する場合などがある。
【０００８】
また、可撓性を有しているとはいえ、シートディスプレイを湾曲させるにあたっては、支持体の曲率に応じた限界がある。
【０００９】
さらには、好適に湾曲させて支持体の表面に固定できたとしても、湾曲によってシートディスプレイの内部においては応力が生じ、歪みを内在することになるので、使用を継続すると、シートディスプレイと支持体との接着部分において剥がれや浮きが生じたり、シートディスプレイ内部において剥離が生じたりする可能性もある。
【００１０】
本発明は上記課題に鑑みてなされたものであり、湾曲している面に好適に固着することができ、かつ、係る長期的に安定して固着状態が維持されるシート状のディスプレイデバイスを提供することを、目的とする。
【課題を解決するための手段】
【００１１】
上記課題を解決するため、請求項１の発明は、可撓性を有する保持基材と、前記保持基材の上に形成された表示層と、を備え、可撓性を有するシート状のディスプレイデバイスであって、前記保持部材の露出面の全体に渡って、前記保持部材の厚み方向を深さ方向とする複数のスリットが設けられてなる、ことを特徴とする。
【００１２】
請求項２の発明は、可撓性を有する保持基材と、前記保持基材の上に形成された表示層と、を備え、可撓性を有するシート状のディスプレイデバイスを、所定の支持体に固定する方法であって、あらかじめ前記保持部材の露出面の全体に渡って、前記保持部材の厚み方向を深さ方向とする複数のスリットを設けておき、所定の支持体に固定する際には、前記保持基材の露出面を前記支持体の表面に倣わせつつ、かつ、前記複数のスリットの開口状態を維持しつつ、前記保持基材の露出面と前記支持体の表面とを接着する、ことを特徴とする。
【発明の効果】
【００１３】
請求項１および請求項２の発明によれば、ディスプレイデバイスの使用を継続したとしても、歪の存在を要因としてディスプレイデバイスと支持体との接着部分において剥がれや浮きが生じたり、あるいは、ディスプレイデバイス内部における剥離が生じたりすることが、好適に抑制される。加えて、シートディスプレイにおいて生じた熱が、スリットを通じて外部へと発熱される。
【図面の簡単な説明】
【００１４】
【図１】保持基材１上に表示層２を備えるシートディスプレイ１０を支持体３に対して固定する様子を示す図である。
【図２】シートディスプレイ１０をそのまま、支持体３に固定した後の状態を示す図である。
【図３】本実施の形態において採用するシートディスプレイ１０の構造を説明するための図である。
【図４】本実施の形態のシートディスプレイ１０を支持体３に固定する様子を示す図である。
【図５】本実施の形態に係るシートディスプレイ１０を支持体３に固定した後の状態を示す図である。
【図６】側面が曲面状となったスリットＳを例示する図である。
【発明を実施するための形態】
【００１５】
図１は、保持基材１上に表示層２を備えるシートディスプレイ１０を支持体３に対して固定する様子を示す図である。
【００１６】
シートディスプレイ１０は、概略、ディスプレイデバイス（表示デバイス）の一種であり、可撓性を有する保持基材１上に、画像等の表示を担う表示層２が積層された構成を有し、全体として可撓性を有するものである。係るシートディスプレイ１０は例えば、有機ＥＬディスプレイや、液晶ディスプレイである。
【００１７】
保持基材１としては、３０μｍ〜２００μｍ程度の厚みを有するＰＥＴフィルムが例示されるが、可撓性を有するとともに、表示層２を好適に保持可能なものであれば、特にその材質や厚みは限定されない。
【００１８】
表示層２の具体的構成は、シートディスプレイ１０の種類（表示原理）に応じて異なる。シートディスプレイ１０が有機ＥＬディスプレイである場合には、例えば発光層、正孔輸送層、電子輸送層、電極（陽極、陰極）などの、有機ＥＬ発光を担う種々の層が全体として表示層２を構成する。さらには、これらの層を保護するための保護層が含まれてもよい。一方、シートディスプレイ１０が液晶ディスプレイである場合には、例えば液晶層、配向膜、導光層、偏光層、電極などの、液晶発光を担う種々の層が全体として表示層２を構成する。さらには、これらの層を保護するための保護層が含まれてもよい。
【００１９】
いずれの場合も、表示層２は、可撓性を有する保持基材１の変形に倣って好適に変形可能に設けられる。これにより、シートディスプレイ１０は、全体として可撓性を有するものとなっている。
【００２０】
より詳細には、シートディスプレイ１０の図示しない端縁部には、外部との電気的接続を担う端子類その他、直接には表示に寄与しない種々の回路要素からなる回路要素部が、保持基材１上に（表示層２の構成要素に代えて）設けられている。
【００２１】
図１においては、以上のような構成を有するシートディスプレイ１０を、その背面である保持基材１の露出面１ａ（表示層２が形成されていない側の面）を矢印ＡＲ１にて示すように支持体３の一軸方向において湾曲した表面３ａに接着剤（図示省略）にて接着することによって、支持体３に固定する様子を示している。シートディスプレイ１０を安定的に支持できる限りにおいて支持体３の材質に特段の制限はなく、シートディスプレイ１０の種類や使用用途に応じて適宜の部材が選択されればよい。
【００２２】
図２は、比較のために示す、上述した構成のシートディスプレイ１０をそのまま、図１に示す態様により支持体３に固定した後の状態を示す図である。
【００２３】
図１に示す接着を実現するには、シートディスプレイ１０を表面３ａの形状に倣って湾曲させたうえで表面３ａに接着させることが必要となる。当然ながら、係る湾曲の際に、シートディスプレイ１０を破損することがないようにせねばならない。
【００２４】
しかしながら、図２に示す場合、仮にシートディスプレイ１０を好適に湾曲させて保持基材１の露出面１ａを支持体３の表面３ａに接着させたとしても、係る湾曲形状をなすシートディスプレイ１０の内側（より詳細には、保持基材１のうち支持体３に近い側）においては圧縮応力ｆ１が生じ、圧縮歪が内在した状態となっている。そして、係る圧縮応力ｆ１および圧縮歪の発生に伴い、シートディスプレイ１０の外側（より詳細には、表示層２およびその近傍の保持基材１）においては引張応力ｆ２が生じ、引張歪が内在した状態となっている。
【００２５】
それゆえ、使用を継続すると、係る歪の存在が要因となって、シートディスプレイ１０と支持体との接着部分において剥がれや浮きが生じたり、シートディスプレイ１０の内部において剥離が生じたりする可能性もある。
【００２６】
図３は、本実施の形態において採用するシートディスプレイ１０の構造を説明するための図である。図４は、係る形態のシートディスプレイ１０を図１に示す態様により支持体３に固定する様子を示す図である。そして、図５は、実際に、本実施の形態に係るシートディスプレイ１０を図４に示す態様により支持体３に固定した後の状態を示す図である。
【００２７】
本実施の形態では、図３の部分Ａについての拡大図にて例示するように、シートディスプレイ１０を構成する保持基材１の露出面１ａの全体に渡って、露出面１ａ側から厚み方向に向けて深さを有し、かつ互いに平行に延在する多数のスリットＳを設けるようにする。なお、図３は係るスリットＳの長手方向に垂直な断面を示していることになる。係るスリットＳの形成は、例えばレーザー光の照射（レーザースクライブ）や、機械的加工、化学的加工などの種々の態様にて実現可能である。
【００２８】
このような、スリットＳを有するシートディスプレイ１０を、図４に矢印ＡＲ２にて示す態様にて支持体３に固定する場合も、図２に示す場合と同様、シートディスプレイ１０を表面３ａの形状に倣って湾曲させたうえで、表面３ａに接着させることになる。
【００２９】
その際には、当然ながら、破損が生じることがないように、シートディスプレイ１０を湾曲させることになるが、これに加え、接着前（湾曲前）の状態におけるスリットＳの深さｄ、ピッチｐ、（最大）開口幅ｗ、個数などを、シートディスプレイ１０の大きさや支持体３のサイズ（例えば厚み）などを踏まえつつ適切に定めるようにした場合には、図５に示すように、個々のスリットＳはその幅を狭めつつも開口状態が維持されるようになる。
【００３０】
係る場合、図２の場合とは異なり、スリットＳが存在することによって保持基材１の露出面１ａは不連続となっているので、シートディスプレイ１０の内側（より詳細には、保持基材１のうち支持体３に近い側）において圧縮応力は生じず、それゆえ保持基材１が圧縮歪を内在することもない。そして、このように内側において圧縮応力および圧縮歪が生じない以上、シートディスプレイ１０の外側（より詳細には、表示層２およびその近傍の保持基材１）においても、引張応力の発生と引張歪の内在とが好適に抑制されてなる。
【００３１】
これにより、本実施の形態に係るシートディスプレイ１０の場合、その使用を継続したとしても、歪の存在を要因としてシートディスプレイと支持体との接着部分において剥がれや浮きが生じたり、あるいは、シートディスプレイ内部における剥離が生じたりすることが、好適に抑制されるという効果が得られる。
【００３２】
加えて、個々のスリットＳが存在していることで、シートディスプレイ１０において生じた熱が、これらスリットＳを通じて外部へと放熱されるという効果もある。
【００３３】
＜変形例＞
上述の実施の形態においては、保持基材１に設けるスリットＳが断面視三角形状を有する場合を示しているが、これはあくまで例示に過ぎない。図６は、側面が曲面状となったスリットＳを例示する図である。
【００３４】
また、スリットＳの延在方向は一方向に限られるものではなく、例えば直交する２方向など、相異なる方向にスリットＳが設けられてもよい。係る場合、２軸方向に湾曲した支持体の表面に対してもシートディスプレイを好適に固定することが可能となる。
【符号の説明】
【００３５】
１  保持基材
１ａ  （保持基材の）露出面
２  表示層
３  支持体
３ａ  （支持体）表面
１０  シートディスプレイ
Ｓ  スリット
【図１】
2019053199.tif 000003
【図２】
2019053199.tif 000004
【図３】
2019053199.tif 000005
【図４】
2019053199.tif 000006
【図５】
2019053199.tif 000007
【図６】
2019053199.tif 000008